(57)【特許請求の範囲】
【請求項１】
ケースと基板と複数の光源を備える充電表示装置であって、
前記光源は、前記基板を介してそれぞれ別々に配置され、
前記基板は、前記ケース内に設けられる遮光部に載置されて前記ケース内に収納され、
前記ケースには、前記光源に対応した位置に光透過性の表示体がそれぞれ設けられ、
前記遮光部は、前記ケース内面に設けられた溝であり、
前記基板と前記遮光部とが協働して前記光源からの光漏れ防止または光の混色をさせないことを特徴とする充電表示装置。
【請求項２】
前記光源は、前記基板の両側にそれぞれ配置されていることを特徴とする請求項１に記載した充電表示装置。
【請求項３】
前記表示体は、前記ケース側面に設けられたレンズであることを特徴とする請求項１または請求項２に記載した充電表示装置。
【発明の詳細な説明】
【技術分野】
【０００１】
本発明は、充電状態等を知らせる光源と表示体を備える充電表示装置に関するものである。
【背景技術】
【０００２】
車両等に搭載される充電表示装置は知られている。この種の充電表示装置の一例を図５（Ａ）、図５（Ｂ）に示す（特許文献１参照）。
【０００３】
図５（Ａ）は、電気自動車に搭載される給電部の概略構成を示す斜視図、図５（Ｂ）は、給電部の構成を示す平面図である。従来技術の充電表示装置１００は、電気自動車の給電部７１０内に搭載され、充電用コネクタ７２０の横に配置されている。ケース２００の一側面にはバッテリの加温、冷却等のコンディショニングを表示する表示体２１０ａと、充電状態を示す表示体２１０ｂが上下に並列して配置され、上部にバッテリの残容量や満充電までの残り充電時間をデジタル表示する表示部３１０が設けられていることが開示されている。
【０００４】
また、乾電池等を充電するための充電表示装置は知られている。この種の充電表示装置の一例を図６（Ａ）、図６（Ｂ）に示す（特許文献２参照）。
【０００５】
図６（Ａ）は、充電表示装置の斜視図、図６（Ｂ）は、図６（Ａ）のＶＩ（Ｂ）−ＶＩ（Ｂ）線の断面図である。従来技術の充電表示装置１００Ｓは、ケース２００Ｓと、ケース２００Ｓ内に収納される基板３００Ｓと、基板３００Ｓ上に実装されたＬＥＤ等の複数の光源４００Ｓと、から成る。第１光源４００Ｓａと第２光源４００Ｓｂとは、基板３００Ｓの上部に並列して配置され、それに対応してケース２００Ｓの一側面に第１表示体２１０Ｓａと第２表示体２１０Ｓｂが設けられている。この従来技術での表示体２１０Ｓａ、２１０Ｓｂは、筒状の光導出部分である。また、第１光源４００Ｓａと第２光源４００Ｓｂとには、第１光源４００Ｓａと第２光源４００Ｓｂを取り囲むように筒状リブである遮光部２４０Ｓがそれぞれ設けられている。この遮光部２４０Ｓにより、第１光源４００Ｓａと第２光源４００Ｓｂとの光の漏れによるクロストークの発生を防止することが開示されている。
【先行技術文献】
【特許文献】
【０００６】
【特許文献１】特開平９−２８５０２２号公報
【特許文献２】特開平９−７４６９０号公報
【発明の概要】
【発明が解決しようとする課題】
【０００７】
従来技術の充電表示装置１００においては、電気自動車の給電部７１０内に搭載されることは開示されているが、表示体２１０ａ、２１０ｂ以外の具体的構成が開示されていない。
【０００８】
また、従来技術の充電表示装置１００Ｓにおいては、遮光部２４０Ｓを用いて第１光源４００Ｓａと第２光源４００Ｓｂとの光の漏れによるクロストークの発生を防止することが開示されている。光源４００Ｓａ、４００Ｓｂからの光漏れを防止するために、第１光源４００Ｓａと第２光源４００Ｓｂのそれぞれに遮光部２４０Ｓを設ける必要があり、構成が複雑化しコストアップになるという欠点があった。
【０００９】
本発明は、上述した事情に鑑みてなされたものであり、その目的は、光源を実装する基板や基板を取り付けるケースを活用して光源の光漏れによる誤認を防止する充電表示装置を提供することにある。
【課題を解決するための手段】
【００１０】
前述した目的を達成させるために、本発明に係る充電表示装置は、下記（１）〜（３）を特徴としている。
【００１１】
（１）  ケースと基板と複数の光源を備える充電表示装置であって、
前記光源は、前記基板を介してそれぞれ別々に配置され、
前記基板は、前記ケース内に設けられる遮光部に載置されて前記ケース内に収納され、
前記ケースには、前記光源に対応した位置に光透過性の表示体がそれぞれ設けられ、
前記遮光部は、前記ケース内面に設けられた溝であり、
前記基板と前記遮光部とが協働して前記光源からの光漏れ防止または光の混色をさせないこと。
（２）  上記（１）の構成の充電表示装置において、
前記光源は、前記基板の両側にそれぞれ配置されていること。
（３）  上記（１）または（２）の構成の充電表示装置において、
前記表示体は、前記ケース側面に設けられたレンズであること。
【００１２】
上記（１）の構成によれば、光源からの光が確実に表示体を透過して視認でき、また、基板と遮光部との簡単な構成により、一の表示体に対応していない光源が点灯しても、その光源の光漏れがないため誤認を防止でき、色の異なる光源を配置してもそれぞれの光の混色も防止できる。
また、ケース内に基板を確実に収納固定できると共に光源からの光の視認性を向上できる。
上記（２）の構成によれば、それぞれの光源の遮光性が増大し、基板の利用価値が高まる。
上記（３）の構成によれば、ケース内に基板を確実に収納固定できると共に光源からの光の視認性を向上できる。
【発明の効果】
【００１３】
本発明によれば、確実にケース内に基板を載置させ、基板と基板を載置させる遮光部を活用して各光源による光漏れを防止して光の混色や誤認を防止し、表示体の自由な配列を可能とした充電表示装置を提供できる。
【００１４】
以上、本発明について簡潔に説明した。更に、以下に説明される発明を実施するための形態を添付の図面を参照して通読することにより、本発明の詳細は更に明確化されるであろう。
【図面の簡単な説明】
【００１５】
【図１】図１は、本発明に係る充電表示装置の一実施形態を示す分解斜視図である。
【図２】図２は、図１に係る充電表示装置を示し、図２（Ａ）は、実施例１の充電表示装置のケースと基板の分解斜視図、図２（Ｂ）は、基板がケース内に組み付けられた状態での図２（Ａ）のＩＩ（Ｂ）−ＩＩ（Ｂ）線の縦断面図である。
【図３】図３は、本発明に係る充電表示装置の他の実施形態を示し、図３（Ａ）は、実施例２の充電表示装置を示す横断面図、図３（Ｂ）は、実施例３の充電表示装置を示す横断面図である。
【図４】図１に係る充電表示装置の適用の一例を示し、図４（Ａ）は、電気自動車の外観を示す側面図、図４（Ｂ）は、図４（Ａ）の電気自動車に搭載される給電部の斜視図である。
【図５】従来の充電表示装置を示し、図５（Ａ）は、電気自動車に搭載される給電部の概略構成を示す斜視図、図５（Ｂ）は、給電部の構成を示す平面図である。
【図６】従来の充電表示装置を示し、図６（Ａ）は、充電表示装置の斜視図、図６（Ｂ）は、図６（Ａ）のＶＩ（Ｂ）−ＶＩ（Ｂ）線の断面図である。
【００１６】
以下、本発明に係る充電表示装置の好適な実施形態について、図面を参照して詳細に説明する。
【発明を実施するための形態】
【００１７】
（実施例１）
本発明の一実施形態である実施例１の充電表示装置１０を説明する。図１は、本発明に係る充電表示装置１０の一実施形態を示す分解斜視図である。図２は、図１に係る充電表示装置１０を示し、図２（Ａ）は、実施例１の充電表示装置１０のケース２０と基板３０の分解斜視図、図２（Ｂ）は、基板３０がケース２０内に組み付けられた状態での図２（Ａ）のＩＩ（Ｂ）−ＩＩ（Ｂ）線の縦断面図である。本発明に係る充電表示装置１０は、乾電池や家庭用品の充電装置、電気自動車の給電装置、等に用いられ、主にバッテリ等の充電状態を表示するために用いられるものである。
【００１８】
充電表示装置１０は、ケース２０と、ケース２０内に収納される不透過性の基板３０と、基板３０上に実装されたＬＥＤ等の複数の光源４０と、から成る。ケース２０には、光源４０に対応した位置に、光源４０の光を視認するための光透過性の表示体２１がそれぞれ設けられている。以下、実施例に沿って表示体２１をレンズ２１に置き換えて詳述する。例えば、基板３０の上面に実装された光源４０が第１光源４０ａであり、ケース２０上面に設けられたレンズ２１が第１レンズ２１ａであり、そして、第１光源４０ａと第１レンズ２１ａとが対応した位置関係で配置されている。即ち、第１光源４０ａから出射した光は、第１レンズ２１ａを通過して外方に出射し、使用者に第１光源４０ａが点灯または非点灯状態が第１レンズ２１ａを通して視認できる。
【００１９】
基板３０の下面には第２光源４０ｂが配置されている。第２光源４０ｂの光の出射方向に対応してケース２０の側面に第２レンズ２１ｂが設けられている。即ち、第２光源４０ｂと第２レンズ２１ｂとが対応した位置関係で配置されている。実施例１においては、第１光源４０ａと第２光源４０ｂとは、基板３０を介して該基板３０の両面にそれぞれ別々に配置されている。
【００２０】
基板３０には、満充電に要する時間や既充電済容量等の充電状態を表示する表示部３１が設けられ、その位置に対応して、ケース２０に表示窓２２が設けられている。ケース２０の両側面には係合突起２３が設けられ、ケース２０後部を覆うカバー５０の両側方に形成された係合片５３と係合することによりケース２０にカバー５０が取り付けられる。カバー５０の略中央部に形成された複数の挿通口５４は、基板３０上に実装されるコード６０を貫通させるためのものである。
【００２１】
ケース２０の中央部には、ケース２０の内方向に延びる光源４０からの光を遮蔽する遮光部２４が形成されている。以下、実施例１に沿って遮光部２４を溝２４に置き換えて詳述する。基板３０は、この溝２４を挿通して溝２４に載置してケース２０内に収納される。溝２４は、ケース２０の内側両面とケース２０の開口部２５と対応した内端面２６に連続して形成されている。基板３０がケース２０内に収納されると共に基板３０の一端面と両側面（計３面）が溝２４内に載置される。
【００２２】
第１光源４０ａと第２光源４０ｂとは、基板３０を介して基板３０両面に配置されているため、基板３０と溝２４とが協働して、第１光源４０ａと第２光源４０ｂとのそれぞれの光がお互いに漏れることがない状態に保たれている。従って、第１光源４０ａが点灯して第２光源４０ｂが非点灯の場合でも第１光源４０ａの光が第２光源４０ｂ側に漏れることが無く、第２レンズ２１ｂを通しての誤認は一切生じることがない。光を透過しない基板３０と、基板３０を支持する光を遮蔽する溝２４という既存の構成を利用して光漏れを防止しているため、構成が簡単でありコストダウンにも繋がる。
【００２３】
続いて、図３を用いて光源４０の配置について詳述する。図３は、本発明に係る充電表示装置１０の他の実施形態を示し、図３（Ａ）は、実施例２の充電表示装置１０を示す横断面図、図３（Ｂ）は、実施例３の充電表示装置１０を示す横断面図である。
【００２４】
（実施例２）
本発明に係る実施例２では、基板３０は、ケース２０に対して縦方向に取り付けられている。溝２４は、ケース２０内の上面と下面にそれぞれ形成されている。第１光源４０ａは、基板３０の左側（図面左側）に配置され、第２光源４０ｂは、第１光源４０ａと反対側の右側（図面右側）に配置されている。第１光源４０ａに対応した第１レンズ２１ａと、第２光源４０ｂに対応した第２レンズ２１ｂは、ケース２０の上面に横方向に並ぶように設けられている。実施例１では、光源４０ａ、４０ｂに対応したレンズ２１ａ、２１ｂがケース２０の別々の側面に設けられていたが、実施例２では、ケース２０の一側面に集中している。
【００２５】
（実施例３）
本発明に係る実施例３では、複数の基板３０と複数の光源４０が配置されている。実施例３では、具体的に３つの基板、第１基板３０ａ、第２基板３０ｂ、第３基板３０ｃが横方向に配列され、それぞれが溝、第１溝２４ａ、第２溝２４ｂ、第３溝２４ｃ、に取り付けられている。第１基板３０ａでは、第１光源４０ａの光がケース左側に向かって出射するよう第１光源４０ａが配置され、それに対応してケース２０の左側面（図面左側）に第１レンズ２１ａが設けられている。第２基板３０ｂでは、第２光源４０ｂの光が上方に向かって出射するよう第２光源４０ｂが配置されている。第３基板３０ｃでは、第３光源４０ｃの光が第２光源４０ｂの光の出射方向と同じ向きに、第３基板３０ｃの左側（図面左側）に第３光源４０ｃが配置され、ケース２０の上面では、それに対応して第２レンズ２１ｂと第３レンズ２１ｃとが設けられている。第３基板３０ｃには、さらに、第４光源４０ｄの光がケース右側に向かって出射するように、第３基板３０ｃの右側（図面右側）に第４光源４０ｄが配置され、それに対応してケース２０の右側面（図面右側）に第４レンズ２１ｄが設けられている。
【００２６】
上述のように、複数配置された各光源４０の各々の光が、一または複数の基板３０と一または複数の溝２４とにより完全に遮蔽され、各光源４０からくる光の漏れによる光の混色や誤認が全く生じない。また、どのように光源４０と基板３０と溝２４を配置するかは、製品の用途や目的によって適宜選択が可能である。
【００２７】
次に、図４を用いて、本発明に係る充電表示装置１０の適用の一例を説明する。図４（Ａ）は電気自動車の外観を示す側面図、図４（Ｂ）は、図４（Ａ）の電気自動車に搭載される給電部の斜視図である。
【００２８】
本発明に係る充電表示装置１０を電気自動車７０に搭載される給電部７１に応用した例を説明する。電気自動車７０の後輪近傍に給電部７１が設けられ、給電部７１には、電気自動車７０用のバッテリ充電用コネクタ７２と、本発明に係る充電表示装置１０が配置されている。バッテリに充電が開始されると、例えば、充電状態を示す表示がレンズ２１ａを通して確認でき、レンズ２１ｂを通してバッテリの充電状態等を表示できる。また、給電口である充電用のコネクタ７２の位置判別を、特に夜間等において明確にする表示であっても良い。
【００２９】
以上、本発明に係る充電表示装置１０によれば、ケース２０と基板３０と複数の光源４０を備え、光源４０は、基板３０を介してそれぞれ別々に配置され、基板３０は、ケース内に設けられる遮光部２４に載置されてケース２０内に収納され、ケース２０には、光源４０に対応した位置に光透過性の表示体２０がそれぞれ設けられ、基板３０と前記遮光部２４とが協働して前記光源４０からの光漏れ防止または光の混色をさせないことを特徴としている。
【００３０】
この構成によって、光源４０からの光が確実に表示体２１を透過して視認でき、また、基板３０と遮光部２４との既存の簡単な構成により、一の表示体２１（例えば第１表示体２１ａ）に対応していない光源４０（例えば第２光源４０ｂ）が点灯しても、その光源４０（第２光源４０ｂ）の光漏れがないため誤認を防止でき、色の異なる光源４０を配置してもそれぞれの光の混色も防止できる。
【００３１】
また、本発明に係る充電表示装置１０によれば、第１光源４０ａと第２光源４０ｂは、基板３０の両側にそれぞれ一つずつ配置されていることを特徴としている。
【００３２】
この構成によって、それぞれの光源４０ａ、４０ｂが基板３０を利用することにより遮光性で増大し、基板３０の両面に光源４０がそれぞれ配置できる等、基板３０の利用価値が高まる。
【００３３】
更に、本発明に係る充電表示装置１０によれば、遮光部２４は、ケース２０内面に設けられた溝２４であり、表示体２１は、ケース２０側面に設けられたレンズ２１であることを特徴としている。
【００３４】
この構成によって、ケース２０内に基板３０を確実に溝２４を介して収納固定できると共に光源４０からの光をレンズ２１により集光でき、充電表示装置１０の外部からの視認性を向上させることができる。
【００３５】
尚、本発明は、上述した実施形態に限定されるものではなく、適宜、変形、改良、等が可能である。その他、上述した実施形態における各構成要素の材質、形状、寸法、数値、形態、数、配置箇所、等は本発明を達成できるものであれば任意であり、限定されない。
【００３６】
遮光部２４を具体的に溝２４として詳述したが、各光源４０の光を遮蔽する構成であれば良く、ケース２０の内方向に突出して基板３０を載置する平板や係合する突起であっても良い。
【００３７】
光源４０の光を視認するための表示体２０として、具体的に光源４０の光を集光させ視認性を向上させるためにレンズ２１として詳述したが、表示の目的等に合わせて光透過性部材の波形や平板状でも良い。
【００３８】
光源４０の輝度や発光色は自由に設定可能である。例えば、第１光源４０ａが赤色で、第２光源４０ｂが緑色等、様々な組合せが可能である。また、光源４０の点灯状態を知らせる方法として、例えば、点滅や常時点灯や色の変化等が可能である。
【００３９】
光源４０としてフラット形状のＬＥＤを図面上用いたが、ＬＥＤの製品形状は多岐に亘っており、用途に合わせて自由に選択でき、また、ＬＥＤ光源に限らずＥＬ等、小型の光源であれば採用可能である。
【００４０】
光源４０をそれぞれ第１光源４０ａと第２光源４０ｂとして、第１、第２を用いたが、特に限定されるものではなく、その他の構成に於いても説明上用いているが、第１、第２が逆で説明しても本発明の目的及び効果は変わらない。
【符号の説明】
【００４１】
１０  充電表示装置
２０  ケース
２１  表示体（レンズ）
２１ａ  第１表示体（第１レンズ）
２１ｂ  第２表示体（第２レンズ）
２４  遮光部（溝）
３０  基板
４０  光源
４０ａ  第１光源
４０ｂ  第２光源
【図１】
0005784990.tif 000002
【図２】
0005784990.tif 000003
【図３】
0005784990.tif 000004
【図４】
0005784990.tif 000005
【図５】
0005784990.tif 000006
【図６】
0005784990.tif 000007